(57)【要約】【課題】動きボケを防止すると共に、消費電力の増大及び短寿命化を最低限に抑える。【解決手段】本発明の電子機器は、画像データが動画データである場合には第１映像信号と第１制御信号と第１信号とを出力し、画像データが静止画データである場合には第１映像信号と第１制御信号と第２信号とを出力する外部装置ＥＸＤと、複数の画素と、第２制御信号によって動作が制御される走査信号線ドライバＹＤＲと、第３制御信号によって動作が制御されると共に第２映像信号から第３映像信号を生成してこれを画素へと出力する映像信号線ドライバＸＤＲと、ドライバＸＤＲ及びＹＤＲに接続され、第１映像信号と第１制御信号と識別信号とを処理して第２及び第３制御信号と第２映像信号とを出力し、識別信号が第１信号である場合にはドライバＸＤＲ及びＹＤＲに画素を黒挿入駆動させ、識別信号が第２信号である場合にはドライバＸＤＲ及びＹＤＲに画素を黒挿入なしに駆動させるコントローラＣＮＴとを備えた有機ＥＬ表示装置ＤＰＬとを具備する。【選択図】      図１
2007114286.tif 000002
【特許請求の範囲】
【請求項１】
外部装置から第１映像信号と第１制御信号と識別信号とが供給される有機ＥＬ表示装置であって、
複数の画素と、
第２制御信号によって動作が制御されると共に前記複数の画素へと走査信号を出力する走査信号線ドライバと、
第３制御信号によって動作が制御されると共に第２映像信号から第３映像信号を生成してこれを前記複数の画素へと出力する映像信号線ドライバと、
前記走査信号線ドライバと前記映像信号線ドライバとに接続され、前記第１映像信号と前記第１制御信号と前記識別信号とを処理して前記第２及び第３制御信号と前記第２映像信号とを出力し、前記識別信号が第１信号である場合には前記走査信号線ドライバ及び前記映像信号線ドライバに前記複数の画素を黒挿入駆動させ、前記識別信号が第２信号である場合には前記走査信号線ドライバ及び前記映像信号線ドライバに前記複数の画素を黒挿入なしに駆動させるコントローラとを具備したことを特徴とする有機ＥＬ表示装置。
【請求項２】
前記コントローラは、
前記識別信号が前記第１信号である場合には、１フレームを複数のサブフィールドで構成すると共に、前記複数の画素に、それらサブフィールドの一部で前記第１映像信号に対応した画像を表示させ、残りのサブフィールドで黒色画像を表示させ、
前記識別信号が前記第２信号である場合には、１フレームを１つのフィールド又は複数のサブフィールドで構成すると共に、前記複数の画素に、そのフィールド又はそれらサブフィールドの全てで前記第１映像信号に対応した画像を表示させることを特徴とする請求項１に記載の有機ＥＬ表示装置。
【請求項３】
前記コントローラは、前記識別信号が第１信号である場合には、前記識別信号が第２信号である場合と比較して、前記第３映像信号の大きさの基準として利用する基準電流又は基準電圧をより大きくすることを特徴とする請求項２に記載の有機ＥＬ表示装置。
【請求項４】
前記複数の画素の各々は、一対の電源端子間で直列に接続された駆動回路及び有機ＥＬ素子を含み、
前記コントローラは、前記識別信号が第１信号である場合には、前記識別信号が第２信号である場合と比較して、前記一対の電源端子間の電圧をより大きくすることを特徴とする請求項３に記載の有機ＥＬ表示装置。
【請求項５】
画像データを含んだファイルを処理して、前記画像データが動画データである場合には第１映像信号と第１制御信号と第１信号とを出力し、前記画像データが静止画データである場合には前記第１映像信号と前記第１制御信号と第２信号とを出力する外部装置と、
複数の画素と、第２制御信号によって動作が制御されると共に前記複数の画素へと走査信号を出力する走査信号線ドライバと、第３制御信号によって動作が制御されると共に第２映像信号から第３映像信号を生成してこれを前記複数の画素へと出力する映像信号線ドライバと、前記走査信号線ドライバと前記映像信号線ドライバとに接続され、前記第１映像信号と前記第１制御信号と前記識別信号とを処理して前記第２及び第３制御信号と前記第２映像信号とを出力し、前記識別信号が前記第１信号である場合には前記走査信号線ドライバ及び前記映像信号線ドライバに前記複数の画素を黒挿入駆動させ、前記識別信号が前記第２信号である場合には前記走査信号線ドライバ及び前記映像信号線ドライバに前記複数の画素を黒挿入なしに駆動させるコントローラとを備えた有機ＥＬ表示装置とを具備したことを特徴とする電子機器。
【発明の詳細な説明】
【技術分野】
【０００１】
本発明は、有機エレクトロルミネッセンス（ＥＬ）表示装置及び電子機器に関する。
【背景技術】
【０００２】
アクティブマトリクス駆動方式を採用した表示装置，例えば、液晶表示装置及び有機ＥＬ表示装置，は、ホールド型表示装置と呼ばれている。これらホールド型表示装置は、陰極線管表示装置などのインパルス型表示装置とは異なり、動きボケを生じる可能性がある。そのため、一部のホールド型表示装置は、各フレーム期間の初め又は終わりに黒色画像を表示する黒挿入駆動を採用している。
【０００３】
しかしながら、黒挿入駆動を行った場合、黒挿入を行わない場合と比較して、表示すべき画像に割り当てられる時間が減少する。それゆえ、例えば、有機ＥＬ表示装置で黒挿入駆動を行う場合、黒挿入駆動を行わない場合と同等の輝度を実現するには、有機ＥＬ素子に流す電流値をより大きくしなければならない。
【０００４】
有機ＥＬ素子に流す電流値を大きくするには、その電極間電圧を大きくする必要がある。この場合、消費電力が増大するのに加え、温度上昇の影響で有機ＥＬ素子の寿命が短くなる。
【０００５】
動きボケは、動画を表示する場合にのみ生じ、静止画を表示する場合には生じ得ない。したがって、例えば、動画を表示する場合にのみ黒挿入駆動を行えば、動きボケを防止すると共に、消費電力の増大や短寿命化を最低限に抑えることができる。
【０００６】
しかしながら、表示装置自体に、映像信号から表示すべき画像が動画であるか静止画であるかを判別する機能を付与した場合、表示装置の消費電力及びコストが著しく上昇する。
【発明の開示】
【発明が解決しようとする課題】
【０００７】
本発明の目的は、動きボケを防止すると共に、消費電力の増大及び短寿命化を最低限に抑えることにある。
【課題を解決するための手段】
【０００８】
本発明の第１側面によると、外部装置から第１映像信号と第１制御信号と識別信号とが供給される有機ＥＬ表示装置であって、複数の画素と、第２制御信号によって動作が制御されると共に前記複数の画素へと走査信号を出力する走査信号線ドライバと、第３制御信号によって動作が制御されると共に第２映像信号から第３映像信号を生成してこれを前記複数の画素へと出力する映像信号線ドライバと、前記走査信号線ドライバと前記映像信号線ドライバとに接続され、前記第１映像信号と前記第１制御信号と前記識別信号とを処理して前記第２及び第３制御信号と前記第２映像信号とを出力し、前記識別信号が第１信号である場合には前記走査信号線ドライバ及び前記映像信号線ドライバに前記複数の画素を黒挿入駆動させ、前記識別信号が第２信号である場合には前記走査信号線ドライバ及び前記映像信号線ドライバに前記複数の画素を黒挿入なしに駆動させるコントローラとを具備したことを特徴とする有機ＥＬ表示装置が提供される。
【０００９】
本発明の第２側面によると、画像データを含んだファイルを処理して、前記画像データが動画データである場合には第１映像信号と第１制御信号と第１信号とを出力し、前記画像データが静止画データである場合には前記第１映像信号と前記第１制御信号と第２信号とを出力する外部装置と、複数の画素と、第２制御信号によって動作が制御されると共に前記複数の画素へと走査信号を出力する走査信号線ドライバと、第３制御信号によって動作が制御されると共に第２映像信号から第３映像信号を生成してこれを前記複数の画素へと出力する映像信号線ドライバと、前記走査信号線ドライバと前記映像信号線ドライバとに接続され、前記第１映像信号と前記第１制御信号と前記識別信号とを処理して前記第２及び第３制御信号と前記第２映像信号とを出力し、前記識別信号が前記第１信号である場合には前記走査信号線ドライバ及び前記映像信号線ドライバに前記複数の画素を黒挿入駆動させ、前記識別信号が前記第２信号である場合には前記走査信号線ドライバ及び前記映像信号線ドライバに前記複数の画素を黒挿入なしに駆動させるコントローラとを備えた有機ＥＬ表示装置とを具備したことを特徴とする電子機器が提供される。
【発明の効果】
【００１０】
本発明によると、動きボケを防止すると共に、消費電力の増大及び短寿命化を最低限に抑えることができる。
【発明を実施するための最良の形態】
【００１１】
以下、本発明の態様について、図面を参照しながら詳細に説明する。なお、各図において、同様又は類似した機能を発揮する構成要素には同一の参照符号を付し、重複する説明は省略する。
【００１２】
図１は、本発明の一態様に係る電子機器を概略的に示す図である。図２は、図１の電子機器が搭載可能な表示装置の一例を概略的に示す平面図である。図３は、図２の表示装置の一部を示す等価回路図である。なお、図１において、破線ＡＡで囲んだ領域は表示領域であり、領域ＡＡの外側の領域は周辺領域である。表示領域ＡＡには、例えば図２に示す画素ＰＸＲ、ＰＸＧ及びＰＸＢがマトリクス状に配置されている。
【００１３】
図１の電子機器は、例えば、携帯電話、ノートブックコンピュータ、ＰＤＡ（personal digital assistant）などの携帯機器、又は、デスクトップコンピュータなどの固定式機器である。この電子機器は、外部装置ＥＸＤと表示装置ＤＰＬとを含んでいる。
【００１４】
外部装置ＥＸＤは、中央処理装置と、メモリなどの周辺装置とを含んでいる。外部装置ＥＸＤは、画像データを含んだファイル（以下、画像ファイルという）を処理して、表示装置ＤＰＬへと第１映像信号と第１制御信号と識別信号とを出力する。
【００１５】
画像ファイルは、例えば、ＭＰＥＧ（motion picture expert group）ファイルなどの動画データを含んだファイル、又は、ＪＰＥＧ（joint photographic expert group）ファイルなどの静止画データを含んだファイルである。この画像ファイルは、例えば、外部装置ＥＸＤが予め記憶しているものであってもよく、光ディスクやメモリカードなどの着脱式記録媒体から読み出したものであってもよく、デジタルカメラなどの他の電子機器から転送したものであってもよく、ホスト又はサーバコンピュータなどからダウンロードしたものであってもよく、或いは、放送衛星や放送局の送信機などから受信したものであってもよい。
【００１６】
第１映像信号は、例えば、外部装置ＥＸＤから表示装置ＤＰＬへとパラレル伝送される赤、緑、青色の３原色信号である。各原色信号は、典型的には、ディジタル信号として外部装置ＥＸＤから表示装置ＤＰＬへとシリアル伝送される。第１映像信号は、例えばＰＣ信号であって、そのフォーマットは、表示する画像の解像度などに応じて、例えば、ＶＧＡ（video graphic array）、ＳＶＧＡ（super video graphic array）、ＸＧＡ（extended video graphic array）、ＳＸＧＡ（super extended video graphic array）、ＵＸＧＡ（ultra extended video graphic array）などに分類することができる。
【００１７】
第１制御信号は、例えば、同期信号及びクロック信号である。同期信号及びクロック信号は、ディジタル信号である。
【００１８】
識別信号は、画像ファイルが含んでいる画像データが動画データ及び静止画データの何れであるかを、表示装置ＤＰＬが識別できるようにする信号である。外部装置ＥＸＤは、例えば、「ｍｐｇ」及び「ｊｐｇ」などの画像ファイルのファイル拡張子に基づいて、画像データが動画データであるか又は静止画データであるかを判別する。そして、外部装置ＥＸＤは、画像データが動画データである場合には表示装置ＤＰＬに第１信号を出力し、画像データが静止画データである場合には表示装置ＤＰＬに第２信号を出力する。
【００１９】
表示装置ＤＰＬは、表示パネルＤＰと、映像信号線ドライバＸＤＲと、走査信号線ドライバＹＤＲと、コントローラＣＮＴとを含んでいる。
【００２０】
表示パネルＤＰは、例えば、ガラス基板などの絶縁基板ＳＵＢを含んでいる。基板ＳＵＢ上には、アンダーコート層として、例えば、ＳｉＮx層とＳｉＯx層とが順次積層されている。
【００２１】
アンダーコート層上には、例えばソース及びドレインが形成されたポリシリコン層である半導体層、例えばＴＥＯＳ（tetraethyl orthosilicate）などを用いて形成され得るゲート絶縁膜、及び例えばＭｏＷなどからなるゲートが順次積層されており、それらはトップゲート型の薄膜トランジスタを構成している。この例では、これら薄膜トランジスタは、ｐチャネル薄膜トランジスタであり、図２及び図３に示す駆動制御素子ＤＲ及びスイッチＳＷａ乃至ＳＷｃとして利用している。
【００２２】
ゲート絶縁膜上には、キャパシタＣの一方の電極と走査信号線ＳＬ１及びＳＬ２とがさらに配置されている。これらは、ゲートと同一の工程で形成可能である。
【００２３】
走査信号線ＳＬ１及びＳＬ２は、図１に示すように、各々が画素ＰＸＲ、ＰＸＧ及びＰＸＢの行方向（Ｘ方向）に延びており、画素ＰＸＲ、ＰＸＧ及びＰＸＢの列方向（Ｙ方向）に交互に配列している。これら走査信号線ＳＬ１及びＳＬ２は、走査信号線ドライバＹＤＲに接続されている。
【００２４】
ゲート絶縁膜、ゲート、走査信号線ＳＬ１及びＳＬ２、並びにキャパシタＣの一方の電極は、層間絶縁膜で被覆されている。層間絶縁膜は、例えばプラズマＣＶＤ法などにより成膜されたＳｉＯxなどからなる。この層間絶縁膜の一部は、キャパシタＣの誘電体層として利用する。
【００２５】
層間絶縁膜上には、キャパシタＣの他方の電極、ソース電極、ドレイン電極、映像信号線ＤＬ、及び電源線ＰＳＬが配置されている。これらは、同一工程で形成可能であり、例えば、Ｍｏ／Ａｌ／Ｍｏの三層構造を有している。
【００２６】
ソース電極及びドレイン電極は、層間絶縁膜に設けられたコンタクトホールを介して薄膜トランジスタのソース及びドレインに電気的に接続されている。
【００２７】
映像信号線ＤＬは、各々がＹ方向に延びており、Ｘ方向に配列している。これら映像信号線ＤＬは、映像信号線ドライバＸＤＲに接続されている。
【００２８】
電源線ＰＳＬは、この例では、各々がＹ方向に延びており、Ｘ方向に配列している。この例では、電源線ＰＳＬは、映像信号線ドライバＸＤＲに接続されている。
【００２９】
ソース電極、ドレイン電極、映像信号線ＤＬ、電源線ＰＳＬ、及びキャパシタＣの他方の電極は、パッシベーション膜で被覆されている。パッシベーション膜は、例えばＳｉＮxなどからなる。
【００３０】
パッシベーション膜上には、前面電極として、光透過性の第１電極が互いから離間して並置されている。各第１電極は、画素電極であり、パッシベーション膜に設けた貫通孔を介して、スイッチＳＷａのドレイン電極に接続されている。
【００３１】
第１電極は、この例では陽極である。第１電極の材料としては、例えば、ＩＴＯ（indium tin oxide）のような透明導電性酸化物を使用することができる。
【００３２】
パッシベーション膜上には、さらに隔壁絶縁層が配置されている。隔壁絶縁層には、第１電極に対応した位置に貫通孔が設けられているか、或いは、第１電極が形成する列又は行に対応した位置にスリットが設けられている。ここでは、一例として、隔壁絶縁層には、第１電極に対応した位置に貫通孔が設けられていることとする。
【００３３】
隔壁絶縁層は、例えば、有機絶縁層である。隔壁絶縁層は、例えば、フォトリソグラフィ技術を用いて形成することができる。
【００３４】
第１電極上には、活性層として発光層を含んだ有機物層が配置されている。発光層は、例えば、発光色が赤色、緑色、又は青色のルミネセンス性有機化合物を含んだ薄膜である。この有機物層は、発光層に加え、正孔注入層、正孔輸送層、ブロッキング層、電子輸送層、電子注入層などもさらに含むことができる。
【００３５】
隔壁絶縁層及び有機物層は、第１電極と向き合うように配置された対向電極としての第２電極で被覆されている。第２電極は、画素ＰＸＲ、ＰＸＧ及びＰＸＢの全てに共通の共通電極であり、この例では背面電極として設けられた光反射性の陰極である。第２電極は、例えば、パッシベーション膜と隔壁絶縁層とに設けられたコンタクトホールを介して、映像信号線ＤＬと同一の層上に形成された電極配線（図示せず）に電気的に接続されている。各々の有機ＥＬ素子ＯＬＥＤは、第１電極、有機物層及び第２電極で構成されている。
【００３６】
絶縁基板ＳＵＢ上では、画素ＰＸＲ、ＰＸＧ及びＰＸＢがマトリクス状に配列している。この例では、３つの画素ＰＸＲ、ＰＸＧ及びＰＸＢをＸ方向に並べてなるトリプレットがＸ方向とＹ方向とに配列している。
【００３７】
画素ＰＸＲ、ＰＸＧ及びＰＸＢの各々は、電源端子ＮＤ１及びＮＤ２間で直列に接続された駆動回路及び有機ＥＬ素子ＯＬＥＤを含んでいる。この例では、駆動回路は、駆動制御素子ＤＲと、キャパシタＣと、出力制御スイッチＳＷａと、信号供給制御スイッチＳＷｂと、ダイオード接続スイッチＳＷｃとを含んでいる。上記の通り、この例では、駆動制御素子ＤＲ及びスイッチＳＷａ乃至ＳＷｃは、ｐチャネル薄膜トランジスタである。また、スイッチＳＷｂ及びＳＷｃは、駆動制御素子ＤＲのドレインとゲートと映像信号線ＤＬとの接続を、それらが互いに接続された第１状態と、それらが互いから切断された第２状態との間で切り替えるスイッチ群を構成している。
【００３８】
駆動制御素子ＤＲと出力制御スイッチＳＷａと有機ＥＬ素子ＯＬＥＤとは、第１電源端子ＮＤ１と第２電源端子ＮＤ２との間で、この順に直列に接続されている。この例では、第１電源端子ＮＤ１は電源線ＰＳＬに接続された高電位電源端子であり、第２電源端子ＮＤ２は第１電源端子ＮＤ１と比較してより低い電位に設定された低電位電源端子である。
【００３９】
出力制御スイッチＳＷａのゲートは、走査信号線ＳＬ１に接続されている。信号供給制御スイッチＳＷｂは映像信号線ＤＬと駆動制御素子ＤＲのドレインとの間に接続されており、そのゲートは走査信号線ＳＬ２に接続されている。ダイオード接続スイッチＳＷｃは駆動制御素子ＤＲのドレインとゲートとの間に接続されており、そのゲートは走査信号線ＳＬ２に接続されている。
【００４０】
キャパシタＣは、定電位端子と駆動制御素子ＤＲのゲートとの間に接続されている。この例では、キャパシタＣは第１電源端子ＮＤ１と駆動制御素子ＤＲのゲートとの間に接続されている。
【００４１】
表示パネルＤＰ上には、映像信号線ドライバＸＤＲが配置されている。映像信号線ドライバＸＤＲは、図３に示すように、映像信号線ＤＬ毎に、電流源ＣＳとスイッチＳＷvsとを含んでいる。さらに、映像信号線ドライバＸＤＲは、マルチプレクサＭＬＴと電圧源ＶＳと基準トランジスタＴＲrefと抵抗素子Ｒとを含んでいる。
【００４２】
マルチプレクサＭＬＴは、クロック信号ＣＬＫ、スタート信号ＳＴＡＲＴ、シリアル信号としての映像信号ＤＡＴＡが入力される入力端子を含んでいる。ここで、クロック信号ＣＬＫ及びスタート信号ＳＴＡＲＴは第３制御信号であり、映像信号ＤＡＴＡは第２映像信号である。
【００４３】
さらに、マルチプレクサＭＬＴは、電流源ＣＳ毎に複数の出力端子を含んでいる。マルチプレクサＭＬＴは、クロック信号ＣＬＫとスタート信号ＳＴＡＲＴとに基づいて、シリアル信号としての映像信号ＤＡＴＡをパラレル信号に変換し、これを各電流源ＣＳへと出力する。この例では、マルチプレクサＭＬＴは、映像信号を６ビットのディジタル信号として、各電流源ＣＳに出力する。なお、パラレル信号へと変換した映像信号は、第３映像信号である。
【００４４】
基準トランジスタＴＲrefは、この例ではｐチャネル電界効果トランジスタである。基準トランジスタＴＲrefのソースは抵抗素子Ｒを介して定電位端子ＮＤ１’に接続されており、そのドレインは接地線に接続されている。この表示装置の駆動時には、基準トランジスタＴＲrefのソース−ドレイン間に基準電流Ｉrefを流す。
【００４５】
電流源ＣＳは、映像信号線ドライバＸＤＲの出力端子，すなわち映像信号線ＤＬに接続された端子，と接地線との間に接続されている。電流源ＣＳは、マルチプレクサＭＬＴがパラレル信号として出力するディジタル信号をアナログ信号へと変換する。この例では、電流源ＣＳは、マルチプレクサＭＬＴが出力する６ビットのディジタル映像信号から、電流信号としてのアナログ映像信号を生成する。
【００４６】
電流源ＣＳは、複数の定電流源ＴＲdgtと複数のスイッチＳＷdgtとを含んでいる。定電流源ＴＲdgtとスイッチＳＷdgtとは、それぞれ、映像信号線ドライバＸＤＲの出力端子と接地線との間で直列に接続されている。この例では、電流源ＣＳは、６つの定電流源ＴＲdgtと６つのスイッチＳＷdgtとを含んでいる。また、この例では、定電流源ＴＲdgt及びスイッチＳＷdgtは、ｐチャネル電界効果トランジスタである。
【００４７】
定電流源ＴＲdgtのゲートは、それぞれ、基準トランジスタＴＲrefのゲートに接続されている。スイッチＳＷdgtのゲートは、それぞれ、マルチプレクサＭＬＴの出力端子に接続されている。
【００４８】
定電流源ＴＲdgtは、例えば、それらの１つが基準トランジスタＴＲrefと同一の構造を有しており、残りの５つがチャネル幅が異なること以外は基準トランジスタＴＲrefと同一の構造を有している。６つの定電流源ＴＲdgtは、それらに接続されているスイッチＳＷdgtが閉じている間、例えば、基準電流Ｉrefの１倍、２倍、４倍、８倍、１６倍、３２倍の大きさの定電流をそれぞれ出力する。
【００４９】
スイッチＳＷvsと定電圧源ＶＳとは、映像信号線ＤＬと接地線との間で、この順に直列に接続されている。
【００５０】
定電圧源ＶＳは、定電圧を黒挿入信号Ｖblkとして出力する。黒挿入信号Ｖblkは、映像信号が最低階調である場合に書込動作によって設定されるべき映像信号線ＤＬの電圧とほぼ等しいか又はそれよりも高い定電圧である。
【００５１】
スイッチＳＷvsは、この例では、ｐチャネル電界効果トランジスタである。スイッチＳＷvsのゲートには、例えば、黒色画像に対応した信号を画素ＰＸＲ、ＰＸＧ及びＰＸＢに書き込むときにのみスイッチＳＷvsを閉じる制御信号ＢＬＫが入力される。
【００５２】
表示パネルＤＰ上には、走査信号線ドライバＹＤＲがさらに配置されている。上記の通り、走査信号線ドライバＹＤＲには、走査信号線ＳＬ１及びＳＬ２が接続されている。走査信号線ドライバＹＤＲの動作は、スタート信号及びクロック信号などの第２制御信号によって制御される。走査信号線ドライバＹＤＲは、第２制御信号に基づいて、走査信号線ＳＬ１及びＳＬ２に第１及び第２走査信号をそれぞれ出力する。
【００５３】
映像信号線ドライバＸＤＲと走査信号線ドライバＹＤＲとは、コントローラＣＮＴに接続されている。また、コントローラＣＮＴには、外部装置ＥＸＤが接続されている。
【００５４】
コントローラＣＮＴは、第１映像信号と第１制御信号と識別信号とを処理して、走査信号線ドライバＹＤＲに第２制御信号を出力し、映像信号線ドライバＸＤＲに第３制御信号及び第２映像信号を出力する。具体的には、コントローラＣＮＴは、識別信号が第１信号である場合には走査信号線ドライバＹＤＲ及び映像信号線ドライバＸＤＲに画素ＰＸＲ、ＰＸＧ及びＰＸＢを黒挿入駆動させ、識別信号が第２信号である場合には走査信号線ドライバＹＤＲ及び映像信号線ドライバＸＤＲに画素ＰＸＲ、ＰＸＧ及びＰＸＢを黒挿入なしに駆動させる。
【００５５】
典型的には、コントローラＣＮＴは、識別信号が第１信号である場合には、識別信号が第２信号である場合と比較して、基準電流Ｉrefをより大きくする。また、典型的には、コントローラＣＮＴは、識別信号が第１信号である場合には、識別信号が第２信号である場合と比較して、電源端子ＮＤ１及びＮＤ２間の電圧をより大きくする。
【００５６】
この表示装置の動作について、さらに詳しく説明する。  
図４は、図２の有機ＥＬ表示装置で動画を表示する場合の駆動方法の一例を示すタイミングチャートである。図４には、画素ＰＸＲ、ＰＸＧ及びＰＸＢがＭ個の行を形成している場合の駆動方法を描いており、横軸は時間を示し、縦軸は電位を示している。
【００５７】
図４において、「ＸＤＲ出力」のうち、「Ｉsigｍ」と表記した期間は映像信号線ドライバＸＤＲが映像信号線ＤＬに映像信号Ｉsigｍを出力する期間を示し、「Ｖblk」と表記した期間は映像信号線ドライバＸＤＲが映像信号線ＤＬに黒挿入信号Ｖblkを出力する期間を示している。また、図４において、「ＳＬ１電位」及び「ＳＬ２電位」で示す波形は走査信号線ＳＬ１及びＳＬ２の電位をそれぞれ示している。
【００５８】
この駆動方法では、１フレーム期間を、第１サブフィールド期間と第２サブフィールド期間とに分割している。第１サブフィールド期間では動画に対応した映像信号の書き込みを行い、第２サブフィールド期間では黒色画像に対応した映像信号の書き込みを行う。
【００５９】
第１及び第２サブフィールド期間の各々は、有効走査期間と、それに続く垂直ブランキング期間（図４では省略している）とを含んでいる。各有効走査期間においては、画素ＰＸＲ、ＰＸＧ及びＰＸＢを行毎に選択する。画素ＰＸＲ、ＰＸＧ及びＰＸＢを選択している選択期間では、それら画素ＰＸＲ、ＰＸＧ及びＰＸＢに対して書込動作を行う。また、画素ＰＸＲ、ＰＸＧ及びＰＸＢを選択していない非選択期間では、それら画素ＰＸＲ、ＰＸＧ及びＰＸＢで有効表示動作を行う。
【００６０】
第１サブフィールド期間では、画素ＰＸＲ、ＰＸＧ及びＰＸＢに対し、第１書込動作を行毎に順次実施する。例えば、ｍ行目の画素ＰＸＲ、ＰＸＧ及びＰＸＢを選択している期間（以下、ｍ行目選択期間という）では、まず、ｍ行目の画素ＰＸＲ、ＰＸＧ及びＰＸＢのスイッチＳＷａを開く。次いで、マルチプレクサＭＬＴから電流源ＣＳに６ビットのディジタル映像信号を出力すると共に、ｍ行目の画素ＰＸＲ、ＰＸＧ及びＰＸＢのスイッチＳＷｂ及びＳＷｃを閉じる。なお、この例では、第１サブフィールド期間において、スイッチＳＷvsは開いたままにしておく。
【００６１】
電流源ＣＳは、ディジタル映像信号をアナログ映像信号としての書込電流Ｉsigｍに変換する。この書込電流Ｉsigｍは、第１電源端子ＮＤ１から電流源ＣＳへと流れる。これにより、ｍ行目の画素ＰＸＲ、ＰＸＧ及びＰＸＢの各々において、駆動制御素子ＤＲのゲート電位を、駆動制御素子ＤＲのソース−ドレイン間に書込電流Ｉsigｍが流れるときの値に設定する。
【００６２】
その後、ｍ行目の画素ＰＸＲ、ＰＸＧ及びＰＸＢのスイッチＳＷｂ及びＳＷｃを開く。さらに、それら画素ＰＸＲ、ＰＸＧ及びＰＸＢのスイッチＳＷａを閉じることにより、ｍ行目選択期間を終了する。
【００６３】
スイッチＳＷａを閉じると、有機ＥＬ素子ＯＬＥＤには、書込電流Ｉsigｍに対応した大きさの駆動電流Ｉdrvｍが流れる。非選択期間では、スイッチＳＷａは閉じたままとする。したがって、先の画素ＰＸＲ、ＰＸＧ及びＰＸＢの有機ＥＬ素子ＯＬＥＤは、それらが次に選択されるまで、駆動電流Ｉdrvｍの大きさに対応した輝度で発光し続ける。
【００６４】
ｍ行目選択期間を終了した後、ｍ＋１行目選択期間を開始する。ｍ＋１行目選択期間では、ｍ＋１行目の画素ＰＸＲ、ＰＸＧ及びＰＸＢに対して、第１書込動作を実施する。第１サブフィールド期間では、以上のようにして、１乃至Ｍ行目の画素ＰＸＲ、ＰＸＧ及びＰＸＢに対して、第１書込動作を行毎に順次実施する。
【００６５】
第２サブフィールド期間では、画素ＰＸＲ、ＰＸＧ及びＰＸＢに対し、第２書込動作を行毎に順次実施する。例えば、ｍ行目選択期間では、まず、ｍ行目の画素ＰＸＲ、ＰＸＧ及びＰＸＢのスイッチＳＷａを開く。次いで、スイッチＳＷvsを閉じると共に、ｍ行目の画素ＰＸＲ、ＰＸＧ及びＰＸＢのスイッチＳＷｂ及びＳＷｃを閉じる。なお、この例では、第２サブフィールド期間において、電流源ＣＳが含む全てのスイッチＳＷdgtは開いたままにしておく。
【００６６】
定電圧源ＶＳの出力電圧Ｖblkは、例えば、映像信号が最低階調である場合に第１書込動作によって設定されるべき映像信号線ＤＬの電圧と等しいか又はそれよりも高い定電圧である。したがって、ｍ行目の画素ＰＸＲ、ＰＸＧ及びＰＸＢの各々において、駆動制御素子ＤＲのゲート−ソース間電圧Ｖgsは、その閾値電圧Ｖthよりも高くなる。
【００６７】
その後、ｍ行目の画素ＰＸＲ、ＰＸＧ及びＰＸＢのスイッチＳＷｂ及びＳＷｃを開く。さらに、それら画素ＰＸＲ、ＰＸＧ及びＰＸＢのスイッチＳＷａを閉じることにより、ｍ行目選択期間を終了する。
【００６８】
上記の通り、先の画素ＰＸＲ、ＰＸＧ及びＰＸＢの各々では、駆動制御素子ＤＲのゲート−ソース間電圧Ｖgsはその閾値電圧Ｖthよりも高い値に設定されている。したがって、これら画素ＰＸＲ、ＰＸＧ及びＰＸＢの有機ＥＬ素子ＯＬＥＤは、第２書込動作を行った直後の非選択期間において発光しない。
【００６９】
ｍ行目選択期間を終了した後、ｍ＋１行目選択期間を開始する。ｍ＋１行目選択期間では、ｍ＋１行目の画素ＰＸＲ、ＰＸＧ及びＰＸＢに対して、第２書込動作を実施する。第２サブフィールド期間では、以上のようにして、１乃至Ｍ行目の画素ＰＸＲ、ＰＸＧ及びＰＸＢに対して、第２書込動作を行毎に順次実施する。
【００７０】
このように、図４の駆動方法では、第１サブフィールド期間で第１書込動作を行い、第２サブフィールド期間で第２書込動作を行うことにより、動画を構成する画像と黒色画像とを交互に表示する。すなわち、図４の方法では、黒挿入駆動を行っている。したがって、この駆動方法によると、動きボケを生じるのを防止することができる。
【００７１】
しかしながら、上記の通り、黒挿入駆動を行った場合、黒挿入を行わない場合と比較して、表示すべき画像に割り当てられる時間が減少する。そのため、黒挿入駆動を行う場合に、黒挿入駆動を行わない場合と同等の輝度を実現するには、有機ＥＬ素子ＯＬＥＤに流す電流値をより大きくしなければならない。有機ＥＬ素子ＯＬＥＤに流す電流値を大きくすると、消費電力が増大するのに加え、温度上昇の影響で有機ＥＬ素子ＯＬＥＤの寿命が短くなる。
【００７２】
そこで、本態様では、静止画を表示する場合には、以下の駆動方法を採用する。  
図５は、図２の有機ＥＬ表示装置で静止画を表示する場合の駆動方法の一例を示すタイミングチャートである。図５には、画素ＰＸＲ、ＰＸＧ及びＰＸＢがＭ個の行を形成している場合の駆動方法を描いており、横軸は時間を示し、縦軸は電位を示している。
【００７３】
図５において、「ＸＤＲ出力」のうち、「Ｉsigｍ」と表記した期間は映像信号線ドライバＸＤＲが映像信号線ＤＬに映像信号Ｉsigｍを出力する期間を示している。また、図５において、「ＳＬ１電位」及び「ＳＬ２電位」で示す波形は走査信号線ＳＬ１及びＳＬ２の電位をそれぞれ示している。
【００７４】
この駆動方法では、図４の駆動方法と同様、１フレーム期間を、第１サブフィールド期間と第２サブフィールド期間とに分割している。第１及び第２サブフィールド期間では、上述した第１書込動作を実施する。そして、第２サブフィールド期間で書き込む映像信号は、その直前の第１サブフィールド期間で書き込んだ映像信号と同一とする。
【００７５】
すなわち、図５の方法では、黒挿入駆動は行わない。そのため、各フレーム期間において、静止画の表示に十分な時間を割り当てることができる。したがって、図４の方法と図５の方法とで同じ明るさで画像を表示する場合、図５の方法によると、図４の方法と比較して、駆動電流Ｉdrvｍをより小さくすること、及び、電源端子ＮＤ１及びＮＤ２間の電圧をより小さくすることができる。
【００７６】
なお、静止画を表示する場合に、動画を表示する場合と比較して、同一の第１映像信号に対応した駆動電流Ｉdrvｍをより小さくするには、例えば、コントローラＣＮＴによる以下の制御を行う。すなわち、外部装置ＥＸＤが出力する識別信号が第２信号である場合には、識別信号が第１信号である場合と比較して、基準電流Ｉrefをより小さくする。識別信号が第２信号である場合の基準電流Ｉrefと識別信号が第１信号である場合の基準電流Ｉrefとの比を適宜設定すれば、図４の方法で駆動した場合と図５の方法で駆動した場合とで、第１映像信号の大きさを変更することなく、同じ明るさの画像を表示することができる。
【００７７】
このように、本態様では、動画を表示する場合にのみ黒挿入駆動を行い、静止画を表示する場合には黒挿入駆動は行わない。それゆえ、本態様によると、動きボケを防止すると共に、消費電力の増大や短寿命化を最低限に抑えることができる。
【００７８】
また、本態様では、表示装置ＤＰＬ自体には、表示すべき画像が動画であるか静止画であるかを判別する機能は付与せず、この役割は外部装置ＥＸＤに担わせている。外部装置ＥＸＤは、各種データを処理する中央処理装置を搭載しているので、この中央処理装置に、表示すべき画像が動画であるか静止画であるかを判別させることができる。しかも、表示すべき画像が動画であるか静止画であるかの判別は、簡単なプログラムによって実現可能である。したがって、本態様によると、動きボケを防止可能とすることに伴う表示装置の消費電力及びコストの上昇を防止又は抑制することができ、それゆえ、電子機器のコストの上昇を防止又は抑制することができる。
【００７９】
図４及び図５の駆動方法では、１フレーム期間を２つのサブフィールド期間に分割しているが、１フレーム期間を３つ以上のサブフィールド期間に分割してもよい。また、図５の駆動方法では、１フレーム期間を、複数のサブフィールド期間に分割せずに、１つのフィールド期間で構成してもよい。
【００８０】
本態様では、画素ＰＸＲ、ＰＸＧ及びＰＸＢに図２及び図３の構造を採用したが、これらには他の構造を採用することも可能である。例えば、ダイオード接続スイッチＳＷｃは、駆動制御素子ＤＲのドレインとゲートとの間に接続する代わりに、駆動制御素子ＤＲのゲートと映像信号線ＤＬとの間に接続してもよい。或いは、信号供給制御スイッチＳＷｂは、駆動制御素子ＤＲのドレインと映像信号線ＤＬとの間に接続する代わりに、駆動制御素子ＤＲのゲートと映像信号線ＤＬとの間に接続してもよい。
【００８１】
また、本態様では、画素ＰＸＲ、ＰＸＧ及びＰＸＢに第３映像信号として電流信号を書き込む構成を採用したが、画素ＰＸＲ、ＰＸＧ及びＰＸＢに第３映像信号として電圧信号を書き込む構成を採用することもできる。この場合、第３映像信号の大きさの基準として基準電流Ｉrefを使用する代わりに、基準電圧Ｖrefを使用する。そして、この基準電圧Ｖrefは、例えば、識別信号が第１信号である場合には、識別信号が第２信号である場合と比較してより大きくする。
【図面の簡単な説明】
【００８２】
【図１】本発明の一態様に係る電子機器を概略的に示す図。
【図２】図１の電子機器が搭載可能な表示装置の一例を概略的に示す平面図。
【図３】図２の表示装置の一部を示す等価回路図。
【図４】図２の有機ＥＬ表示装置で動画を表示する場合の駆動方法の一例を示すタイミングチャート。
【図５】図２の有機ＥＬ表示装置で静止画を表示する場合の駆動方法の一例を示すタイミングチャート。
【符号の説明】
【００８３】
ＡＡ…領域、Ｃ…キャパシタ、ＣＮＴ…コントローラ、ＣＳ…電流源、ＤＬ…映像信号線、ＤＰ…表示パネル、ＤＰＬ…表示装置、ＤＲ…駆動制御素子、ＥＸＤ…外部装置、ＭＬＴ…マルチプレクサ、ＮＤ１…電源端子、ＮＤ１’…定電位端子、ＮＤ２…電源端子、ＯＬＥＤ…有機ＥＬ素子、ＰＳＬ…電源線、ＰＸＢ…画素、ＰＸＧ…画素、ＰＸＲ…画素、Ｒ…抵抗素子、ＳＬ１…走査信号線、ＳＬ２…走査信号線、ＳＵＢ…絶縁基板、ＳＷａ…スイッチ、ＳＷｂ…スイッチ、ＳＷｃ…スイッチ、ＳＷdgt…スイッチ、ＳＷvs…スイッチ、ＴＲdgt…定電流源、ＴＲref…基準トランジスタ、ＶＳ…定電圧源、ＸＤＲ…映像信号線ドライバ、ＹＤＲ…走査信号線ドライバ。
【図１】
2007114286.tif 000003
【図２】
2007114286.tif 000004
【図３】
2007114286.tif 000005
【図４】
2007114286.tif 000006
【図５】
2007114286.tif 000007